(57)【要約】  【課題】  コンタミネーションのおそれを低減した検体検出用抽出容器を提供する。  【解決手段】  内部に抽出試薬を溜める液溜部２０ａと抽出試薬を滴下するノズル部２０ｅとを一体的に形成して容器本体２０となし、液溜部は、可撓性を有すると共に局所に接触させた綿球２を挿入できるように形成され、ノズル部は、液溜部よりも小径に形成され、液溜部とノズル部との間にフィルタ座２０ｃを形成し、フィルタ座に抽出試薬を濾過するフィルタ２４を装着し、ノズル部の周囲をノズル封止キャップ２６で開閉可能に封止してなる。【選択図】  図１
0003107824.tif 000002
【実用新案登録請求の範囲】
【請求項１】
内部に抽出試薬を溜める液溜部と前記抽出試薬を滴下するノズル部とを一体的に形成して容器本体となし、
前記液溜部は、可撓性を有すると共に局所に接触させた綿球を挿入できるように形成され、
前記ノズル部は、前記液溜部よりも小径に形成され、
前記液溜部と前記ノズル部との間にフィルタ座を形成し、前記フィルタ座に前記抽出試薬を濾過するフィルタを装着し、前記ノズル部の周囲をノズル封止キャップで開閉可能に封止したことを特徴とする検体検出用抽出容器。
【請求項２】
前記フィルタの上面中心部には、上向きに突出するつまみ突片が形成されている請求項１記載の検体検出用抽出容器。
【考案の詳細な説明】
【技術分野】
【０００１】
本考案は、コンタミネーションのおそれを低減した検体検出用抽出容器に関するものである。
【背景技術】
【０００２】
従来より、患者が感染症にかかっているかどうかを検出するために、抽出試薬を入れた検体検出用抽出容器と、アッセイストリップとの組み合わせが使用されている。
【０００３】
図４を参照しながら、この種の検体検出用抽出容器の内容およびその使用法を説明する。
【０００４】
まず、図４（ａ）に示すように、検査者（例えば、看護婦や技師など）は、綿棒１の綿球２（使用前には滅菌された状態にある）を、患者の局所３（例えば、鼻腔あるいは咽頭など）に接触させ、局所３をぬぐう。これにより、ぬぐい液が綿球２に付着する。
【０００５】
次に、図４（ｂ）に示すように、検査者は、抽出試薬７が溜められた容器本体４に綿棒１を入れ、綿棒１の綿球２を抽出試薬７に浸す。なお、容器本体４の上部には、容器本体４よりも大径のフランジ５が形成され、さらにフランジ５の上部は、ねじ部６となっている。
【０００６】
そして、図４（ｃ）に示すように、検査者は、容器本体４の外から綿球２を指でつまみ綿球２が吸着しているぬぐい液をよく絞り出す。これにより、ぬぐい液が抽出試薬７に混合する。
【０００７】
次に、図４（ｄ）に示すように、検査者は、ねじ部６に、フィルタ付きキャップ８の内部に設けられたねじ部を螺合し、フィルタ付きキャップ８を容器本体４の上部へ装着する。
【０００８】
さらに、図４（ｅ）に示すように、検査者は、容器本体４を上下反転し、フィルタ付きキャップ８の先端に形成されているノズル９からアッセイストリップ１０の試料添加部１１にぬぐい液が混じった抽出試薬７を滴下する。以降、アッセイストリップ１０を用いて、検体を検出し、陽性／陰性が判定される。
【０００９】
ところが、図４（ｄ）の状態において、フィルタ付きキャップ８は、検査者により把持され、ねじ部６に装着される。このとき、検査者があやまってノズル９に検体を付けてしまうこと（コンタミネーション）がある。このとき、検査者が感染症にかかっている場合や、検査者が複数の被験者を検査する場合において感染者検体を取り扱った後などにおいて、被験者が感染症にかかっていなくとも（本来は陰性であるべき場合）、検査結果が陽性になってしまうことになる。
【００１０】
特に、検体が空気感染するウイルス（例えば、インフルエンザウイルス、アデノウイルス、ＲＳウイルス等）であるとき、この問題は顕著になる。
【００１１】
このように、従来の検体検出用抽出容器では、コンタミネーションのおそれがあるという問題点があった。
【特許文献１】特開２０００−３４６８３８号公報
【考案の開示】
【考案が解決しようとする課題】
【００１２】
そこで本考案は、コンタミネーションのおそれを低減した検体検出用抽出容器を提供することを目的とする。
【課題を解決するための手段】
【００１３】
本考案の検体検出用抽出容器は、内部に抽出試薬を溜める液溜部と抽出試薬を滴下するノズル部とを一体的に形成して容器本体となし、液溜部は、可撓性を有すると共に局所に接触させた綿球を挿入できるように形成され、ノズル部は、液溜部よりも小径に形成され、液溜部とノズル部との間にフィルタ座を形成し、フィルタ座に抽出試薬を濾過するフィルタを装着し、ノズル部の周囲をノズル封止キャップで開閉可能に封止してなる。
【００１４】
この構成により、検査者は、綿棒の挿入及び綿球に付着したぬぐい液の絞り出しを、ノズル部がノズル封止キャップで封止された状態において、実施できる。したがって、検査者があやまって検体をノズル部に付けてしまうことはなく、検出結果の信頼性を高く保持できる。
【００１５】
また、ぬぐい液が混じった抽出試薬を滴下させる際、検査者はノズル封止キャップを外すだけで良く、検査者がノズル部に直接触れることはないから、コンタミネーションのおそれはない。
【考案の効果】
【００１６】
本考案は、以上のように構成したから、コンタミネーションのおそれを低減でき、検出結果の信頼性を向上できる。
【考案を実施するための最良の形態】
【００１７】
以下図面を参照しながら、本考案の実施の形態を説明する。図１（ａ）は、本考案の一実施の形態における検体検出用抽出容器の縦断面図であり、図１（ｂ）は、本考案の一実施の形態における検体検出用抽出容器の斜視断面図であり、図２は、本考案の一実施の形態における容器本体の縦断面図である。なお以下、従来技術を示す図４と同様の構成要素については、同一符号を付すことにより詳細な説明を省略する。
【００１８】
容器本体２０は、可撓性を有する材料（例えば、透明な薄肉の樹脂等）で構成される。容器本体２０の内部は、上部から下部へ至るに従い、その内径が狭くなるようになっている。
【００１９】
最も上部に位置する大径部２０ｂは、綿球２の挿入口に相当し、最も大径に形成される。大径部２０ｂの外周には、ねじ部２２が形成され、ねじ部２２には、上キャップ２３が螺合される。ねじ部２２の下端部は、拡径されてフランジ２１となり、フランジ２１は上キャップ２３の下端面に対面する。
【００２０】
フランジ２１の下部は、大径部２０ｂよりも小径で縦長の液溜部２０ａとなっており、液溜部２０ａの内部には抽出試薬抽出試薬７が溜められる。液溜部２０ａの直径は、綿球２の直径よりもやや大に形成され、局所３に接触させた綿球２を、液溜部２０ａ内に挿入できるようになっている。
【００２１】
液溜部２０ａの下部には、液溜部２０ａよりも小径の小径部２０ｄが連設され、小径部２０ｄの最下端部は、抽出試薬７を滴下するためのノズル部２０ｅとなっている。即ち、液溜部２０ａとノズル部２０ｅとを一体的に設けて容器本体２０が構成される。
【００２２】
また、液溜部２０ａと小径部２０ｄとの間にフィルタ座２０ｃが形成され、フィルタ座２０ｃには抽出試薬７を濾過するフィルタ２４が装着される。なお、フィルタ２４の上面中心部には、上向きに突出するつまみ突片２４ａが形成されている。つまみ突片２４ａを設けているから、フィルタ２４を大径部２０ｂ、液溜部２０ａを介し、フィルタ座２０ｃに装着する際に、所定のジグ（図示せず）がつまみ突片２４ａをチャックでき、大量生産に適応しやすいようになっている。
【００２３】
小径部２０ｄの外周面にはねじ部２５が形成され、ねじ部２５にはノズル封止キャップ２６の内面に形成されたねじ部が螺合している。また、ノズル封止キャップ２６の底面中央部には、上向きに突出する突部２６ｂが形成され、ノズル封止キャップ２６がねじ部２５に螺合すると、突部２６ｂがノズル部２０ｅに嵌合しノズル部２０ｅは封止される。ノズル封止キャップ２６は、後述するように、ぬぐい液が混じった抽出試薬７を滴下させる際を除いて、常時ねじ部２５に螺合しており、ノズル部２０ｅの周囲は、通常ノズル封止キャップ２６で封止されている。勿論、検査者は、ノズル封止キャップ２６を回転させることにより、ノズル封止キャップ２６をノズル部２０ｅから外し、ノズル部２０ｅを外部へ露呈させることができる。この際にも、検査者はノズル封止キャップ２６に触れるだけであり、ノズル部２０ｅに直接触れることはないから、コンタミネーションのおそれはない。
【００２４】
次に、図３を参照しながら、本形態の検体検出用抽出容器の使用法を説明する。
【００２５】
まず、従来技術と同様に、検査者は、綿棒１の綿球２を、患者の局所３に接触させ、局所３をぬぐう。これにより、ぬぐい液が綿球２に付着する（図４（ａ）参照）。
【００２６】
次に、図３（ａ）に示すように、検査者は、抽出試薬７が溜められた容器本体２０に綿棒１を入れ、綿棒１の綿球２を抽出試薬７に浸す。
【００２７】
そして、図３（ｂ）に示すように、検査者は、容器本体２０の外から綿球２を指でつまみ綿球２が吸着しているぬぐい液をよく絞り出す。これにより、ぬぐい液が抽出試薬７に混合する。
【００２８】
次に、図３（ｃ）に示すように、検査者は、ねじ部２２に上キャップ２３の内部に設けられたねじ部を螺合し、上キャップ２３を容器本体２０の上部へ装着する。
【００２９】
さらに、図３（ｄ）に示すように、検査者は、ノズル封止キャップ２６を回転させ、ノズル封止キャップ２６を外す。これにより、ノズル封止キャップ２６により封止されていたノズル部２０ｅが外部に露呈する。
【００３０】
そして検査者は、ノズル部２０ｅからアッセイストリップ１０の試料添加部１１にぬぐい液が混じった抽出試薬７を滴下する。以降、アッセイストリップ１０を用いて、検体を検出し、陽性／陰性が判定される。
【００３１】
ここで、図４（ｄ）と図３（ｃ）とを比較すれば明らかなように、検査者はノズル封止キャップ２６に触れるだけであり、ノズル部２０ｅやフィルタ２４等に直接触れることはないから、コンタミネーションのおそれはない。
【００３２】
よって、本来は検査結果が陰性であるべき場合、検査結果が陽性になってしまうおそれが少なく、検査結果の信頼性が向上する。
【図面の簡単な説明】
【００３３】
【図１】（ａ）本考案の一実施の形態における検体検出用抽出容器の縦断面図  （ｂ）本考案の一実施の形態における検体検出用抽出容器の斜視断面図
【図２】本考案の一実施の形態における容器本体の縦断面図
【図３】（ａ）本考案の一実施の形態における検体検出用抽出容器の操作説明図  （ｂ）本考案の一実施の形態における検体検出用抽出容器の操作説明図  （ｃ）本考案の一実施の形態における検体検出用抽出容器の操作説明図  （ｄ）本考案の一実施の形態における検体検出用抽出容器の操作説明図
【図４】（ａ）従来の検体検出用抽出容器の操作説明図  （ｂ）従来の検体検出用抽出容器の操作説明図  （ｃ）従来の検体検出用抽出容器の操作説明図  （ｄ）従来の検体検出用抽出容器の操作説明図  （ｅ）従来の検体検出用抽出容器の操作説明図
【符号の説明】
【００３４】
１  綿棒
２  綿球
３  局所
４  容器本体
５  フランジ
６、２２、２５  ねじ部
７  抽出試薬
８  フィルタ付きキャップ
９  ノズル
１０  アッセイストリップ
１１  試料添加部
２０  容器本体
２０ａ  液溜部
２０ｂ  大径部
２０ｃ  フィルタ座
２０ｄ  小径部
２０ｅ  ノズル部
２１  フランジ
２３  上キャップ
２４  フィルタ
２４ａ  つまみ突片
２６  ノズル封止キャップ
２６ａ  側部
２６ｂ  突部
【図１】
0003107824.tif 000003
【図２】
0003107824.tif 000004
【図３】
0003107824.tif 000005
【図４】
0003107824.tif 000006